(57)【要約】    【課題】  特に、蓄光剤を備えた部材や電球などの光源より発光された光により模様が浮き上がるようにした成形シートおよび成形シートの作製方法を提供することを課題とする。【解決手段】  光を照射する光源４に積層されるとともに、光源より照射される光の色以外に彩色された成形体３と、長さの異なるピン状の突状体９により絵や文字、もしくは模様のパターンを形成した穿孔体８と、を備えた成形シート１の作製方法である。  成形体３の表面側または裏面側に対し穿孔体８を押し付け、成形体に深さの異なる穴７を形成するとともに、穴により絵や文字、もしくは模様のパターンを形成するものである。【選択図】  図３
2014048606.tif 000002
【特許請求の範囲】
【請求項１】
光を照射する光源に積層されるとともに、深さの異なるピン状の穴により模様が形成された成形体を備えたことを特徴とする成形シート。
【請求項２】
前記光源は、蓄光性蛍光剤を備えた蓄光層であることを特徴とする請求項１に記載の成形シート。
【請求項３】
前記成形体は、半透明、または、乳白色、もしくは、前記光源より照射される光の色以外に彩色されていることを特徴とする請求項１に記載の成形シート。
【請求項４】
前記成形体の裏面には、透明または半透明の粘着剤層が形成されることを特徴とする請求項１または３に記載の成形シート。
【請求項５】
光を照射する光源に積層されるとともに、前記光源より照射される光の色以外に彩色された成形体と、
長さの異なるピン状の突状体により絵や文字、もしくは模様のパターンを形成した穿孔体と、を備えた成形シートの作製方法であって、
前記成形体の表面側または裏面側に対し前記穿孔体を押し付け、前記成形体に深さの異なる穴を形成するとともに、前記穴により前記絵や文字、もしくは模様のパターンを形成することを特徴とする成形シートの作製方法。
【発明の詳細な説明】
【技術分野】
【０００１】
本発明は、特に、蓄光剤を備えた部材などの光源より照射される光により模様を識別できるようにした成形シートおよび成形シートの作製方法に関する。
【背景技術】
【０００２】
従来、暗所においても発光して美麗な模様を識別できるようにした蓄光シートが知られている（例えば、特許文献１参照）。
同文献によれば、基体シートの上に蓄光層を設けるとともに、前記蓄光層に模様層を設けるか、あるいは、基本シートの上に模様層を設けるとともに、模様層の上に蓄光層を設けた構成としてある。すなわち、基本シート上に、模様層を設けた塩化ビニールシートを貼付するか。あるいは、基本シート上に蓄光層を設けるとともに、その上に模様層を設けるようにしており、模様層は、グラビア印刷や凸版印刷などによりプリントするようになっている。
上述したように、模様層はプリント（印刷）されるため、美麗な模様が実現できるものの、印刷工程を経る必要があるため、色の調合などに手間がかかりコストが高くなるばかりか、蓄光シートは蓄光層を光源としているため暗所における発光には好適であるものの、例えば、電球や蛍光灯などの光源を利用した場合、模様の実現が困難という問題がある。
【先行技術文献】
【特許文献】
【０００３】
【特許文献１】実用新案登録第３０１１２４８号公報
【発明の概要】
【発明が解決しようとする課題】
【０００４】
本発明は、上記の問題点に着目して成されたものであり、特に、蓄光剤だけでなく電球などの光源より発光された光により模様が浮き上がるようにした成形シートおよび成形シートの作製方法を提供することを課題とする。
【課題を解決するための手段】
【０００５】
本発明に係る記録媒体の成形シートは、光を照射する光源に積層されるとともに、深さの異なるピン状の穴により模様が形成された成形体を備えたことを特徴とする。
また、光源を、蓄光性蛍光剤を備えた蓄光層とすることができる。
また、成形体を、半透明、または、乳白色、もしくは、光源より照射される光の色以外に彩色するようにできる。
また、成形体の裏面に、透明または半透明の粘着剤層が形成されるようにできる。
さらに、第２の発明に係る成形シートの作製方法は、光を照射する光源に積層されるとともに、前記光源より照射される光の色以外に彩色された成形体と、長さの異なるピン状の突状体により絵や文字、もしくは模様のパターンを形成した穿孔体と、を備えた成形シートの作製方法であって、前記成形体の表面側または裏面側に対し前記穿孔体を押し付け、前記成形体に深さの異なる穴を形成するとともに、前記穴により前記絵や文字、もしくは模様のパターンを形成することを特徴とする。
【発明の効果】
【０００６】
本発明の記録媒体の成形シートは、光を照射する光源に積層されるとともに、深さの異なるピン状の溝により模様が形成された成形体を備えるようにしたので、深さの異なる穴の底面部における成形体の厚みが異なって形成されるため、穴の底面部の異なった厚み部分を透過して成形体の表面部に照射される光が、穴ごとに異なった明るさ（明度）となるため、簡単な構成で明度の違いによる変化に富んだ絵や文字が描けるという効果がある。
また、光源を、蓄光性蛍光剤を備えた蓄光層とすれば、夜間や暗闇であっても絵や文字を浮かび上がらせることができる。
また、成形体を、半透明、または、乳白色、もしくは、光源より照射される光の色以外に彩色するようにすれば、余分な光が外部へ照射しにくいものである。
また、成形体の裏面に、透明または半透明の粘着剤層が形成されるようにすれば、光の透過は妨げられないものである。
さらに、第２の発明に係る成形シートの作製方法は、成形体の表面側または裏面側に対し穿孔体を押し付け、成形体に深さの異なる穴を形成するとともに、穴により絵や文字、もしくは模様のパターンを形成するため、穴をあけるという簡単な方法で、深さの異なる穴から照射された、異なった明るさの光により、変化に富んだ絵や文字、もしくは模様のパターンを実現できるという効果がある。
【図面の簡単な説明】
【０００７】
【図１】本発明に係る成形シートにてニコニコマークを描いた例を示す平面図である。
【図２】同、図１中、矢示ＩＩ−ＩＩ線に沿う概略断面図である。
【図３】同、成形シートを作製する過程を示す一部断面の概略側面図である。
【図４】他の実施の形態の成形シートを示す図２相当の概略断面図である。
【図５】更に他の実施の形態の成形シートを示す図２相当の概略断面図である。
【図６】同、図５中、矢示ＶＩ方向より見た図１相当の平面図である。
【発明を実施するための形態】
【０００８】
以下、本発明に係る成形シートの一実施の形態につき、図１ないし図３に基づいて説明する。
【０００９】
同図に示すように、成形シート１は、「光源」としての蓄光基材２と、成形体３と、を備える。
蓄光基材２は、表面に蓄光層４が形成されるとともに、裏面には、粘着剤を塗布して成る粘着剤層５を備える。
蓄光層４は、蓄光性蛍光剤を塗布して成り、日中においては太陽光などを内部に吸収・蓄積するとともに、暗闇では自ら発光するようにしてある。
【００１０】
成形体３は、例えば、合成樹脂やプラスチック、塩化ビニールなどで作製されるとともに、半透明、もしくは、乳白色、もしくは、前記蓄光層４にて発光される色以外に彩色されている。
また、成形体３の裏面には、透明または半透明の粘着剤を塗布して成る粘着剤層６を備えており、前記蓄光層４に積層して貼付されている。
さらに、成形体３には、深さの異なるピン状の穴７が成形体３の表面側（図２における上面側）から形成されており、この穴７により絵や文字、もしくは、模様のパターンを形成するものである。図１は、穴７により「ニコニコマーク」を形成した例を示している。
深さの異なる穴７の底面部における成形体３の厚み３ｔが異なることにより、厚み３ｔ部分を透過して成形体３の表面部に照射された光により穴７ごとに違った明るさ（明度）が実現できるものであり、明度の違いにより変化に富んだ絵や文字が浮き上がる成形シート１が容易に作製可能なものである。
なお、成形体３が、半透明、もしくは、乳白色、もしくは、前記蓄光層４にて発光される色以外に彩色されているため、穴７以外は光が透過しにくく、余分な光が外部に照射しにくいため、穴７で形成された絵や文字がより一層、明るく鮮明になるものである。
なお、成形体３の厚さは、１０〜２０ｍｍが好ましい。
【００１１】
上述したように、成形シート１は、下層部側（図２における下側）から順に、粘着剤層５、蓄光基材２、蓄光層４、粘着剤層６、成形体３が積層され、かつ、深さの異なる穴７にて絵や文字、もしくは、模様のパターン（本実施の形態においては、「ニコニコマーク」）が形成された「シート」であり、最下層の粘着剤層５を介して成形シート１全体を被着体（図示省略）に貼付して表示できるようになっている。
【００１２】
次に、主に、図３に基づき、絵や文字、もしくは、模様のパターンを形成する方法を説明する。
８は、穿孔体であり、この穿孔体８は、長さの異なる複数のピン状の突状体９を備えており、この突状体９により、絵や文字、もしくは、模様のパターンを形成してある。
そして、成形シート１の表面（同図における上面部）側より前記穿孔体８を機械等により押し付け、突状体９により成形体３に穴７をあけるものであり、長さの異なる突状体９により深さの異なる穴７があけられるとともに、穴７により「ニコニコマーク」の絵（図１参照）が形成された成形シート１が作製されるものである。
なお、突状体９は、ピンまたはピン状で、形状は円筒状であっても、角柱状であっても良く、表現する絵や文字、もしくは、模様のパターンにより円筒状や角柱状を組み合わせても構わない。
【００１３】
また、複数の穴７により絵や模様が形成された成形シート１は、粘着剤層５を介して図示省略の被着体（例えば、自転車）に貼り付けて表示するものであり、自転車（図示省略）に表示された成形シート１は、昼間は蓄光層４に太陽光が吸収・蓄積されるとともに、夜道においては、蓄光層４から発光された光が穴７を通して外部に照射されることにより絵や模様（本実施の形態においては、「ニコニコマーク」）を成形シート１の上面に浮き上がらせるものである。穴７の深さが異なることにより穴７ごとに違った明るさ（明度）が実現できるものであり、明度の違いにより変化（バリエーション）に富んだ絵や文字の成形シート１が容易に作製可能なものである。
【００１４】
次に、主に、図４に基づき、第２の実施の形態の成形シート１１につき説明する。
なお、以下において、先の実施の形態と同様の部分は同一符号を付すに止め、詳説を省略する。
成形シート１１は、下層部（同図における下部）側から順に、粘着剤層５、蓄光基材２、蓄光層４、粘着剤層６、成形体１３が積層されて形成されている。
成形体１３は、予め裏面（同図における下部）側から前記穿孔体８の突状体９により深さの異なる穴１２があけられており、この穴１２にて絵や模様（例えば、「ニコニコマーク」）が形成されている。
半透明、もしくは、乳白色、もしくは、蓄光層４にて発光される色以外に彩色されている成形体１３は、蓄光層４から穴１２を通して照射された光により表面に絵や模様を浮き出させるものであり、穴１２の天井（同図における上部）部位における成形体１３の厚み１３ｔが異なることにより穴１２ごとに違った明るさ（明度）が実現できるものであり、明度の違いにより変化に富んだ絵や文字の成形シート１１が容易に作製可能なものである。
その他の構成、作用、効果については、先の実施の形態とほぼ同様につき、詳説を省略する。
【００１５】
さらに、主に、図５および図６に基づき、第３の実施の形態の成形シート２１につき説明する。
なお、以下において、先の実施の形態と同様の部分は同一符号を付すに止め、詳説を省略する。
成形シート２１は、主に、成形体２３の裏面（図５における下部）に透明または半透明の粘着剤を塗布して成る粘着剤層２２を備え、また、表面（図５における上部）には、遮光層２５が形成されている。
さらに、成形体２３には、深さが異なるとともに、底面部２４ａの形状が異なる穴２４が複数あけられている。この穴２４は、図示を省略するが、前記穿孔体８の突状体９の先端形状が、槍の穂先やくぎの先端部分のようにとがった形状や、円柱状あるいは角柱状の先端部を斜めにせん断したような形状のものによりあけられているため、突状体９の先端形状に対応した形状の底面部２４ａが形成されるものである。
なお、成形シート２１には、図６に示されるような、模様化された文字（図６の例では、英文字の「Ｉ」と「ハートマーク」と英文字の「Ｕ」）が穴２４により形成されている。
遮光層２５は、後述する「光源」の光が穴２４以外から外部（成形シート２１の表面）へ照射するのを防ぐ目的で貼られた「遮光材」である。
【００１６】
上記成形シート２１は、粘着剤層２２の粘着力を介して光源２６としての電球や蛍光灯ボックス、あるいは、非常灯に貼り付けられる。
光源２６より光が発光されると、透明または半透明の粘着剤層２２および底面部２４ａを通して穴２４より光が外部に照射され、穴２４により形成された絵や文字、もしくは、模様のパターン（図６参照）が成形体２３の表面に浮かび上がるものである。
光源２６より発光された光は、穴２４を通過する際、様々な形状に形成された底面部２４ａにて屈折・乱反射されるため、異なった色合いに変化して外部に照射されるとともに、成形体２３の底面部分の厚み２３ｔが異なることによって穴２４ごとの明度が違うことと相俟って、成形シート２１の表面には、変化に富んだ絵や文字、もしくは、模様のパターンが形成されるものである。
なお、成形体２３の表面には遮光層２５が形成されており、模様パターンを形成する穴２４からの光のみが外部に照射され、余分な光は遮光層２５で遮断され外部に照射されないため、模様パターンの浮き上がりがより鮮明となる。
その他の構成、作用、効果については、先の実施の形態とほぼ同様につき、詳説を省略する。
【００１７】
なお、上記実施の形態の構成及び動作は例であって、本発明の趣旨を逸脱しない範囲で適宜変更することができることは言うまでもない。
【００１８】
例えば、「光源」としての蓄光層４を備えた成形シート１、１１を、電球や蛍光灯ボックス、あるいは、非常灯の光源２５用に使用することも可能である。すなわち、蓄光層４に積層されている成形体３、１３を、粘着剤層６が成形体３、１３側に残るように蓄光層４より剥がし、光源２５に対し粘着剤層６を介して貼付けるようにしても構わない。
【符号の説明】
【００１９】
１    成形シート（第１の実施の形態）
２    蓄光基材
３    成形体
３ｔ  厚み
４    蓄光層（光源）
５    粘着剤層
６    粘着剤層
７    穴
８    穿孔体
９    突状体（ピン）
１１  成形シート（第２の実施の形態）
１２  穴
１３  成形体
１３ａ  天井部
１３ｔ  厚み
２１成形シート（第３の実施の形態）
２２  粘着剤層
２３  成形体
２３ｔ  厚み
２４  穴
２４ａ  底面部
２５  遮光体
２６  光源
【図１】
2014048606.tif 000003
【図２】
2014048606.tif 000004
【図３】
2014048606.tif 000005
【図４】
2014048606.tif 000006
【図５】
2014048606.tif 000007
【図６】
2014048606.tif 000008